(57)【特許請求の範囲】
【請求項１】
薄型の主部を立設状態に保持するためのスタンド構造であって、
一端が前記主部に回動自在に連結され、前記一端を中心に他端が回動可能にされた補助部材と、
一端と他端との間の中間部が前記補助部材の他端に回動自在に連結された脚部材と、
前記脚部材の前記一端に設けられた係合部と、
前記脚部材の前記係合部に対応して前記主部に設けられた係合対応部とを有し、
前記脚部材の前記係合部を前記主部の前記係合対応部に係合させると共に、前記脚部材の姿勢を該脚部材の前記他端が床面から力を受けるような姿勢にすることで、前記主部が前記立設状態になる一方、前記係合部と前記係合対応部との係合を解き、前記脚部材を前記主部に近接させて、前記脚部材を、前記主部に対して、前記主部を立設状態にしているときよりも平行状態に近づけることで、前記脚部材及び前記補助部材が折り畳み状態となるように構成されたことを特徴とするスタンド構造。
【請求項２】
前記脚部材、前記補助部材、前記係合部及び前記係合対応部は、前記主部の表裏両側において前記主部を挟んで対称に、少なくとも一対設けられたことを特徴とする請求項１記載のスタンド構造。
【請求項３】
前記主部に対して固定的に設けられた嵌合部と、前記補助部材に設けられ、前記主部が前記立設状態となったときに前記嵌合部に嵌合する立設時嵌合対応部とを有することを特徴とする請求項１または２記載のスタンド構造。
【請求項４】
前記主部に対して固定的に設けられた嵌合部と、前記脚部材に設けられ、前記脚部材及び前記補助部材が前記折り畳み状態となったときに前記嵌合部に嵌合する折り畳み時嵌合対応部とを有することを特徴とする請求項１〜３のいずれか１項に記載のスタンド構造。
【請求項５】
前記脚部材の前記係合部は、前記主部が前記立設状態にあるときに前記係合対応部からの下方への力を受ける第１当接部と、前記主部が前記立設状態にあるときに前記係合対応部からの前記脚部材が位置する側への力を受ける第２当接部とを有して構成されることを特徴とする請求項１〜４のいずれか１項に記載のスタンド構造。
【請求項６】
支持体に回動部材を所定角度に保持させるためのスタンド構造であって、
一端が前記支持体に回動自在に連結され、前記一端を中心に他端が回動可能にされた補助部材と、
一端と他端との間の中間部が前記補助部材の他端に回動自在に連結された腕部材と、
前記腕部材の前記一端に設けられた係合部と、
前記腕部材の前記係合部に対応して前記支持体に設けられた係合対応部とを有し、
前記腕部材の前記係合部を前記支持体の前記係合対応部に係合させると共に、前記腕部材の前記他端に前記回動部材を支持させることで、前記支持体に対して前記回動部材が前記所定角度に保持される一方、前記係合部と前記係合対応部との係合を解き、前記腕部材を前記支持体に近接させて、前記腕部材を、前記支持体に対して、前記腕部材が前記所定角度に保持されているときよりも平行状態に近づけることで、前記腕部材及び前記補助部材が折り畳み状態となるように構成されたことを特徴とするスタンド構造。
【発明の詳細な説明】
【技術分野】
【０００１】
本発明は、薄型の主部を立設状態に保持するためのスタンド構造に関する。
【背景技術】
【０００２】
従来、薄型ディスプレイ、演説台、楽器の支持体等、薄型の主部を有するものにおいて、該主部を立設状態に保持するためのスタンド構造が知られている。
【０００３】
例えば、下記特許文献１、２の打楽器装置においては、演奏時には、多数のパッドを支持するフレームを立設状態に保持する。これらの打楽器装置では、左右２本の主フレームを左右方向に長い連結部材で連結すると共に、両主フレームの下端部に、奏者側に延びる延設部材をそれぞれ設ける。そして、各延設部材の先端と主フレームの下半部とを、細い棒状部材でさらに連結することで、主フレームの下半部に、側面視三角形の枠体が構成され、それによって、主フレームが倒れないようになっている。
【非特許文献１】ＬＭ営業部企画推進室ＧＤ担当、カタログ「Ｄｒｕｍｓ  ABSOLUTELY  HANDCRAFTED」、ヤマハ株式会社、２００５年１０月作成、ｐ３７、ｐ３８
【非特許文献２】“ＹＡＭＡＨＡ  Ｄｒｕｍ  ｗｅｂ  ｍａｇａｚｉｎｅ”、［online］、サイレントセッションドラムＤＴＸＰＲＥＳＳIII、〔平成１８年２月６日検索〕、インターネット＜ＵＲＬ：http://www.yamaha.co.jp/product/drum/column/col03103101/index.html＞
【発明の開示】
【発明が解決しようとする課題】
【０００４】
しかしながら、上記非特許文献１、２の打楽器装置では、演奏のために立設状態にする際、延設部材や細い棒状部材を装着し、収納時にはそれらを取り外さなければならないため、立設／収納の作業が煩雑である。
【０００５】
また、薄型ディスプレイ、演説台等においては、一般に、スタンド機構が固定的に取り付けられており、収納する際に嵩張るという問題がある。
【０００６】
本発明は上記従来技術の問題を解決するためになされたものであり、その第１の目的は、簡単な操作で、薄型の主部を立設保持できると共に、収納時には嵩張らないようにすることができるスタンド構造を提供することにある。
【０００７】
本発明の第２の目的は、簡単な操作で、回動部材を所定角度に保持できると共に、収納時には嵩張らないようにすることができる。
【課題を解決するための手段】
【０００８】
上記第１の目的を達成するために本発明の請求項１のスタンド構造は、薄型の主部（１０、８０）を立設状態に保持するためのスタンド構造であって、一端が前記主部に回動自在に連結され、前記一端を中心に他端が回動可能にされた補助部材（７０、８５）と、一端と他端との間の中間部が前記補助部材の他端に回動自在に連結された脚部材（６０、８４）と、前記脚部材の前記一端に設けられた係合部（６３）と、前記脚部材の前記係合部に対応して前記主部に設けられた係合対応部（６６ａ）とを有し、前記脚部材の前記係合部を前記主部の前記係合対応部に係合させると共に、前記脚部材の姿勢を該脚部材の前記他端が床面から力を受けるような姿勢にすることで、前記主部が前記立設状態になる一方、前記係合部と前記係合対応部との係合を解き、前記脚部材を前記主部に近接させて、前記脚部材を、前記主部に対して、前記主部を立設状態にしているときよりも平行状態に近づけることで、前記脚部材及び前記補助部材が折り畳み状態となるように構成されたことを特徴とする。
【０００９】
好ましくは、前記脚部材、前記補助部材、前記係合部及び前記係合対応部は、前記主部の表裏両側において前記主部を挟んで対称に、少なくとも一対設けられる（請求項２）。
【００１０】
好ましくは、前記主部に対して固定的に設けられた嵌合部（７３）と、前記補助部材に設けられ、前記主部が前記立設状態となったときに前記嵌合部に嵌合する立設時嵌合対応部（７１）とを有する（請求項３）。
【００１１】
好ましくは、前記主部に対して固定的に設けられた嵌合部（７３）と、前記脚部材に設けられ、前記脚部材及び前記補助部材が前記折り畳み状態となったときに前記嵌合部に嵌合する折り畳み時嵌合対応部（６２）とを有する（請求項４）。
【００１２】
好ましくは、前記脚部材の前記係合部は、前記主部が前記立設状態にあるときに前記係合対応部からの下方への力を受ける第１当接部（６３ａ）と、前記主部が前記立設状態にあるときに前記係合対応部からの前記脚部材が位置する側への力を受ける第２当接部（６４）とを有して構成される（請求項５）。
【００１３】
上記第２の目的を達成するために本発明の請求項６のスタンド構造は、支持体（８０）に回動部材（８３）を所定角度に保持させるためのスタンド構造であって、一端が前記支持体に回動自在に連結され、前記一端を中心に他端が回動可能にされた補助部材（８８）と、一端と他端との間の中間部が前記補助部材の他端に回動自在に連結された腕部材（８７）と、前記腕部材の前記一端に設けられた係合部と、前記腕部材の前記係合部に対応して前記支持体に設けられた係合対応部とを有し、前記腕部材の前記係合部を前記支持体の前記係合対応部に係合させると共に、前記腕部材の前記他端に前記回動部材を支持させることで、前記支持体に対して前記回動部材が前記所定角度に保持される一方、前記係合部と前記係合対応部との係合を解き、前記腕部材を前記支持体に近接させて、前記腕部材を、前記支持体に対して、前記腕部材が前記所定角度に保持されているときよりも平行状態に近づけることで、前記腕部材及び前記補助部材が折り畳み状態となるように構成されたことを特徴とする。
【００１４】
なお、上記括弧内の符号は例示である。
【発明の効果】
【００１５】
本発明の請求項１によれば、簡単な操作で、薄型の主部を立設保持できると共に、収納時には嵩張らないようにすることができる。
【００１６】
請求項２によれば、少なくとも、主部のうち脚部材が設けられている部分の下部は、立設時に浮動状態にすることが可能となる。
【００１７】
請求項３によれば、主部の立設状態を安定的に維持することができる。
【００１８】
請求項４によれば、脚部材及び補助部材の折り畳み状態を安定的に維持することができる。
【００１９】
請求項５によれば、簡単な構成で主部の立設保持が実現される。
【００２０】
本発明の請求項６によれば、簡単な操作で、回動部材を所定角度に保持できると共に、収納時には嵩張らないようにすることができる。
【発明を実施するための最良の形態】
【００２１】
以下、本発明の実施の形態を図面を参照して説明する。
【００２２】
（第１の実施の形態）
図１、図２は、本発明の第１の実施の形態に係るスタンド構造が適用される打楽器装置の斜視図である。この打楽器装置は電子ドラムとして構成される。以降、本打楽器装置の奏者が座る側を「奏者側」乃至「正面側」、これと反対の観客が居る側を「客側」乃至「背面側」と呼称する。また、本打楽器装置の前後左右の方向は、奏者を基準として呼称する。図１は斜め奏者側から見た図、図２は斜め客側から見た図である。
【００２３】
本打楽器装置は、メインボード１０と、複数の打撃用のドラムボード２０（２０Ａ〜２０Ｇ）を備える。詳細は後述するように、各ドラムボード２０は、メインボード１０に対して展開／折り畳み自在で、演奏に適した「展開状態」と、収納に適した「折り畳み状態」とに配置状態が可変に構成されており、図１、図２では、展開状態が示されている。
【００２４】
図３は、本打楽器装置の展開状態における正面図（奏者側から見た図）である。図４は、本打楽器装置の展開状態における左側面図である。図５は、本打楽器装置の展開状態における平面図である。図６は、本打楽器装置の折り畳み状態における正面図である。図７は、本打楽器装置の折り畳み状態における左側面図である。図８は、本打楽器装置の折り畳み状態における平面図である。
【００２５】
メインボード１０は、木質材等によって板状に構成され、その外縁１１は、正面視で横長の長方形に構成される（図３、図６参照）。メインボード１０の奏者側面１０ａの左右端部の下半部には、脚部６０Ａ、６０Ｂが設けられ、客側面１０ｂの左右端部には、脚部６０Ｃ、６０Ｄが設けられている。メインボード１０の立設状態においては、これら４本の脚部６０によって、メインボード１０の下部が床面から浮いた状態で、垂直に立設される（立設状態）（図１〜図５参照）。
【００２６】
ドラムボード２０は、不図示のドラムスティックによって打撃される。図１に示すように、ドラムボード２０Ａ、２０Ｂは、メインボード１０の奏者側において左右に離間して設けられる。ドラムボード２０Ｃ、２０Ｄ及びドラムボード２０Ｅ、２０Ｆは、それぞれ、メインボード１０の客側において左右に離間して設けられ、ドラムボード２０Ｇは、ドラムボード２０Ａに近接して設けられ、展開状態においては、ドラムボード２０Ａよりも上方且つ左方に位置する。また、メインボード１０の上部の奏者側において、左右方向中央に、操作パネル部１９が配置される。メインボード１０の下部には、フットペダル取付部１４が、奏者側に突設されている。
【００２７】
図９は、図５のＡ−Ａ線に沿う断面図である。図２、図９に示すように、メインボード１０の客側の中央には、ケース部１５が設けられる。ケース部１５は、メインボード１０の客側面１０ｂから客側に突出しており、内部に空間を有している。ケース部１５は、客側から見て、一般的なアコースティックドラムセットにおけるバスドラム型を呈する円形に構成され、バスドラムのシェルと同程度の直径を有する（図２参照）。これにより、ケース部１５が、客側からアコースティックドラムセットにおけるバスドラムを想起させる。
【００２８】
また、図１、図３、図６、図９に示すように、メインボード１０の奏者側面１０ａにおいては、ケース部１５の外径と同じ直径を有する円形の枠部１３が設けられている。枠部１３は、奏者側からアコースティックドラムセットにおけるバスドラムを想起させるべく、正面視、バスドラムのシェル型を呈している。枠部１３は円形にかぎられず、多角形でもよい。また、メインボード１０の奏者側面１０ａにおける、枠部１３の中央部には、バスドラムボード１２が固定的に配設される。フットペダル取付部１４には、不図示のフットペダルが装着される。そして、該フットペダルの押下操作により可動するビータ（図示せず）によって、バスドラムボード１２が打撃される。
【００２９】
図３、図９に示すように、ケース部１５内には回路基板（以下、単に「基板」と称する）１８、左右２つのスピーカ１７（１７Ｌ、１７Ｒ）が収容されている。図９に示すように、ケース部１５の客側の面の内側には裏板２７が設けられ、基板１８は、複数の取り付け部２６を介して裏板２７に取り付けられている。また、スピーカ１７は、メインボード１０に取り付けられて、その放音部が奏者側を向き、奏者側に放音するようになっている。図３に示すように、２つのスピーカ１７は、正面視において、枠部１３内であって、且つバスドラムボード１２を避けた位置に配置されている。これにより、バスドラムボード１２の打撃からスピーカ１７が保護される。なお、スピーカ１７の配置は、枠部１３内であってバスドラムボード１２を避けた位置であれば、他の位置でもよい。
【００３０】
図２に示すように、ケース部１５の客側の面の左下部には、端子群１６が設けられる。端子群１６は、ケース部１５に描かれたマーキング部３２内に配置される。端子群１６には、例えば、左側から、ＵＳＢ端子、ヘッドホン端子、足操作用のハイハット端子、電源端子等が含まれる。端子群１６は、正面視において、基板１８と重なる位置に配置してもよい。
【００３１】
バスドラムボード１２は、アコースティックドラムセットにおけるバスドラムの中央部（主に打撃される部分）に相当する位置に配設される。一方、展開状態においては、ドラムボード２０Ａ、２０Ｂ、２０Ｃ、２０Ｄ、２０Ｅ、２０Ｆ、２０Ｇは、それぞれ、一般的なドラムセットにおけるスネアドラム、フロアタム、タムタム（小）、タムタム（大）、クラッシュシンバル（サイドシンバル）、ライドシンバル（トップシンバル）、ハイハットシンバルと同様の配置位置に配設される。
【００３２】
本打楽器装置においては、ドラムボード２０及び操作パネル部１９をメインボード１０に対して展開／折り畳み自在にするための回動機構部のタイプとして、第１回動機構部２１、第２回動機構部２２の２種類がある。図１に示すように、第１回動機構部２１Ａ、２１Ｂは、メインボード１０の奏者側面１０ａの上部左右端部近傍に取り付けられ、第１回動機構部２１Ｈは、奏者側面１０ａの上部左右方向中央に取り付けられる。図２に示すように、第２回動機構部２２Ｅ、２２Ｆは、メインボード１０の客側面１０ｂの上部左右端部に取り付けられている。また、第１回動機構部２１Ｃ、２１Ｄは、客側面１０ｂの上部において、第２回動機構部２２Ｅ、２２Ｆの左右方向外側の位置に取り付けられる。第１回動機構部２１Ｇ１、２１Ｇ２（図８参照）については、メインボード１０に取り付けられているのではなく、詳細は図１０で後述する。
【００３３】
まず、ドラムボード２０Ａ、２０Ｂ、２０Ｃ、２０Ｄは、それぞれアーム２５Ａ、２５Ｂ、２５Ｃ、２５Ｄを介して、第１回動機構部２１Ａ、２１Ｂ、２１Ｃ、２１Ｄに上下方向に（左右方向に直交する面に沿って）回動自在に連結されている（図２、図５、図６参照）。これにより、ドラムボード２０Ａ、２０Ｂは、アーム２５Ａ、２５Ｂがメインボード１０に対して少なくとも垂直になる角度から（図４参照）平行に近接する角度まで（図７参照）、少なくとも９０°の回動範囲で回動自在である。一方、ドラムボード２０Ｃ、２０Ｄは、アーム２５Ｃ、２５Ｄがメインボード１０に対して鉛直方向上方に延びる角度から（図４参照）平行に近接する角度まで（図７参照）、ほぼ１８０°の回動範囲で回動自在である。
【００３４】
操作パネル部１９は、上下方向に（左右方向に直交する面に沿って）回動自在に第１回動機構部２１Ｈに連結され（図１、図４参照）、９０°近くの回動範囲を有し、折り畳み状態ではメインボード１０に対して平行になる（図７参照）。
【００３５】
また、ドラムボード２０Ｅ、２０Ｆは、それぞれアーム２５Ｅ、２５Ｆを介して、第２回動機構部２２Ｅ、２２Ｆに、メインボード１０の面方向（面の広がり方向であり、客側面１０ｂに平行な面に沿う方向）に回動自在に連結されている（図２参照）。これにより、ドラムボード２０Ｅ、２０Ｆは、アーム２５Ｅ、２５Ｆがメインボード１０から鉛直方向上方に延びる角度から（図４参照）平行に近接する角度まで（図７参照）、ほぼ１８０°の回動範囲で回動自在である。ただし、ドラムボード２０Ｅ、２０Ｆは、それぞれメインボード１０の左側、右側の軌道を通って回動する。
【００３６】
第２回動機構部２２には、各々、スピーカ５０が内蔵されており（図１２で後述）、スピーカ５０の放音部５０ａが、メインボード１０の奏者側面１０ａの上部左右端部の、第２回動機構部２２に対応する位置において、奏者側に放音するべく奏者側を向いている（図１、図３、図６参照）。
【００３７】
以降、ドラムボード２０、第１回動機構部２１、第２回動機構部２２、アーム２５について、個々を区別しないときは、Ａ、Ｂ等を付加することなく記す。また、脚部６０についても同様とする。第１回動機構部２１、第２回動機構部２２の各詳細構成、及びこれらとアーム２５との関係については、図１１、図１２で後述する。
【００３８】
図示はしないが、基板１８には、音源回路、増幅回路、効果回路等の楽音発生のための回路が構成されている。また、ドラムボード２０、バスドラムボード１２の各々には、打撃を検出する不図示の打撃センサが設けられている。各打撃センサの検出信号は、基板１８に送られ、楽音信号に変換される。そして、その楽音信号が、スピーカ１７、５０から音響となって放音される。また、操作パネル部１９は、ＬＣＤ等で構成され、ユーザが、音色、音量、モード等、各種設定を行うのに用いられる。ドラムボード２０、バスドラムボード１２及び操作パネル部１９と基板１８とは、主にアーム２５内やメインボード１０内を通って配線されている。
【００３９】
各ドラムボード２０、バスドラムボード１２の打撃により発音される楽音の音色は、必ずしも一般のドラム装置と同じとする必要はなく、操作パネル部１９の操作により任意に設定することができる。また、それらの楽音の発音のスピーカへの割り当ても、任意に設定することができる。
【００４０】
本実施の形態における割り当てでは、一例として、バスドラムボード１２が、左右のスピーカ１７に割り当てられ、両スピーカ１７の中間に定位されている。また、ドラムボード２０Ａは、スピーカ１７Ｌ及び第２回動機構部２２Ｅ内のスピーカ５０に割り当てられ、ドラムボード２０Ｂは、スピーカ１７Ｒ及び右側の第２回動機構部２２Ｆ内のスピーカ５０に割り当てられている。ドラムボード２０Ｃ、２０Ｄは、スピーカ１７Ｌ、１７Ｒに割り当てられている。ドラムボード２０Ｅ、２０Ｆは、第２回動機構部２２Ｅ内のスピーカ５０、第２回動機構部２２Ｆ内のスピーカ５０にそれぞれ割り当てられている。ドラムボード２０Ｇは、第２回動機構部２２Ｅ内のスピーカ５０に割り当てられている。
【００４１】
図１０は、ドラムボード２０Ａ、２０Ｇを下方からみた部分下面図である。第１回動機構部２１Ａは、上述のように、メインボード１０の奏者側面１０ａの上部左端部近傍に取り付けられ、スピーカ５０の放音部５０ａの直ぐ右側に位置している（図１、図３参照）。図１０に示すように、アーム２５Ａの基端部２５Ａａが第１回動機構部２１Ａに接続され、アーム２５Ａの自由端部２５Ａｂに、ドラムボード２０Ａが角度固定に取り付けられている。ドラムボード２０Ｂについても、同様に、アーム２５Ｂ（図５参照）の自由端部に角度固定に取り付けられている。
【００４２】
図１０に示すように、アーム２５Ａの左側部には、板状で底面視略三角形の連結アーム２５Ｇ１が一体に形成されている。すなわち、連結アーム２５Ｇ１の基端部２５Ｇ１ａが、アーム２５Ａの左側部に接続され、連結アーム２５Ｇ１の自由端部２５Ｇ１ｂには、第１回動機構部２１Ｇ１が取り付けられている。そして、第１回動機構部２１Ｇ１には、アーム２５Ｇ２の基端部が接続され、アーム２５Ｇ２の自由部には、第１回動機構部２１Ｇ２が接続されている。ドラムボード２０Ｇは、第１回動機構部２１Ｇ２に取り付けられている。
【００４３】
このような構成により、アーム２５Ｇ２は、第１回動機構部２１Ｇ１を中心として、アーム２５Ａの長手方向に垂直な面に沿う方向に回動自在とされる。また、ドラムボード２０Ｇは、第１回動機構部２１Ｇ２を中心として、アーム２５Ａの長手方向に垂直な面に沿う方向に回動自在とされる。従って、第１回動機構部２１Ｇ１、２１Ｇ２を介して、ドラムボード２０Ｇの配置を、ドラムボード２０Ａに対して右上方に離間する位置（図３、図４等）と、ドラムボード２０Ａ上に積層される位置（図７、図８等参照）とに変えることができる。
【００４４】
図２、図４、図７に示すように、アーム２５Ｃ、２５Ｄの自由端部とドラムボード２０Ｃ、２０Ｄとの間には、それぞれ回動首部２３Ｃ、２３Ｄが介装される。アーム２５Ｅ、２５Ｆの各自由端部２５Ｅｂ、２５Ｆｂとドラムボード２０Ｅ、２０Ｆとの間には、それぞれ回動首部２４Ｅ、２４Ｆが介装される。
【００４５】
図４、図７に示すように、回動首部２３Ｃのステイ３０が、ドラムボード２０Ｃに固定されると共に、アーム２５Ｃの自由端部に対して、左右方向に直交する面に沿って回動自在に連結されている。ステイ３０は板状に形成される。ステイ３０には、円弧状溝３０ａが形成されている。アーム２５Ｃの自由端部には、ピン３１が固定的に設けられており、円弧状溝３０ａ内に係合している。円弧状溝３０ａがピン３１と係合可能な範囲によって、ドラムボード２０Ｃのアーム２５Ｃに対する回動範囲が規制される。
【００４６】
図４、図７に示すように、回動首部２４Ｅのステイ２８が、ドラムボード２０Ｅに固定されると共に、アーム２５Ｅの自由端部２５Ｅｂに対して、左右方向に直交する面に沿って回動自在に連結されている。ステイ２８には、ステイ３０の円弧状溝３０ａと同様の円弧状溝２８ａが形成され、アーム２５Ｅの自由端部２５Ｅｂに固定的に設けられたピン２９が円弧状溝２８ａ内に係合している。
【００４７】
これらにより、展開状態においてドラムボード２０Ｃ、２０Ｅの角度の調節が可能であると共に、折り畳み状態においては、ドラムボード２０Ｃ、２０Ｅをメインボード１０に対して平行に近接させることができる。回動首部２３Ｄ、２４Ｆの構成は、回動首部２３Ｃ、２４Ｅとそれぞれ同様である。従って、ドラムボード２０Ｄ、２０Ｆについても、ドラムボード２０Ｃ、２０Ｅと同様に配置を変更することができる。
【００４８】
なお、回動首部２３Ｃ、２３Ｄ、２４Ｅ、２４Ｆは、回動に対して適当な摩擦が発生するように構成され、所望の位置でドラムボード２０Ｃ、２０Ｄ、２０Ｅ、２０Ｆの角度を維持可能になっている。これにより、回動首部２３Ｃ、２３Ｄ、２４Ｅ、２４Ｆに対するドラムボード２０Ｃ、２０Ｄ、２０Ｅ、２０Ｆの角度をネジ等で固定する構成に比し、展開／折り畳みの操作が容易である。
【００４９】
次に、第１回動機構部２１、第２回動機構部２２の詳細構成を説明する。第１回動機構部２１Ａ〜２１Ｈは、いずれも構成が同様である。また、第２回動機構部２２Ｅ、２２Ｆは、左右対称であるが、構成は同様である。従って、代表して、第１回動機構部２１Ｂ、第２回動機構部２２Ｅの構成を説明する。
【００５０】
図１１（ａ）は、第１回動機構部２１Ｂの斜視図、同図（ｂ）は、図６のＢ−Ｂ線に沿う第１回動機構部２１Ｂの断面図である。
【００５１】
図１１（ａ）に示すように、第１回動機構部２１Ｂは、一対のステイ４１、４２を有し、これらステイ４１、４２が、メインボード１０にネジ止め固定される。アーム２５Ｂの基端部には、筒体４０が固定されている。筒体４０は、アーム２５Ｂと一体に形成してもよい。同図（ｂ）に示すように、筒体４０の内側には、押しボタン体４３の一部が介装され、押しボタン体４３の押下部４３ｂが、ステイ４２の貫通穴４２ｂから突出している。
【００５２】
押しボタン体４３は、その円形の外周面４３ｄがステイ４２によって支持されている。外周面４３ｄと押下部４３ｂとの間の外周面は、外周面４３ｄ側に拡径するテーパ面４３ｃとなっている。ステイ４２には、テーパ面４３ｃに対応する内面であるテーパ面４２ａが形成されている。
【００５３】
また、押しボタン体４３の、筒体４０の内側に位置する部分であって、外周面４３ｄよりもステイ４１寄りの外側には、２面の切欠面４３ａが形成されている。筒体４０の内側には、切欠面４３ａに対応する平行な当接面４０ａが形成されている。当接面４０ａが切欠面４３ａに当接係合していることで、筒体４０と押しボタン体４３とが一体に回転し得るようになっている。
【００５４】
押しボタン体４３のステイ４１寄りの半部は、ステイ４１側に開口した凹部となっており、該凹部内及び筒体４０の内側に、スプリング４４が内装されている。スプリング４４は、上記凹部の底部である当接面４３ｅをステイ４２側に付勢し、何ら操作がなされていない状態では、テーパ面４３ｃをテーパ面４２ａに常に当接させている。
【００５５】
かかる構成において、アーム２５Ｂを回動させるには、ユーザは、押しボタン体４３の押下部４３ｂを押し込む。すると、テーパ面４２ａからテーパ面４３ｃが離れるので、ユーザは、押下部４３ｂを押下したまま、アーム２５Ｂを、筒体４０及び押しボタン体４３と共に自由に回動させることができる。適当な位置まで回動させた後、押下部４３ｂの押下を解除すると、再びテーパ面４２ａにテーパ面４３ｃが当接し、その回動位置にてアーム２５Ｂが固定状態となって、少々の力では回動位置が変化しないようになる。
【００５６】
図１２は、図３のＣ−Ｃに沿う第２回動機構部２２Ｅの断面図である。メインボード１０には、スピーカ取り付け穴１０ｃが形成され、該スピーカ取り付け穴１０ｃ内に、スピーカ５０が配置される。スピーカ取り付け穴１０ｃの奏者側からはスピーカ表カバー５１が、スピーカ取り付け穴１０ｃの客側からはスピーカ裏カバー５２が、それぞれ被せられている。客側から、複数のネジ３３によって、スピーカ表カバー５１とスピーカ裏カバー５２とが共締め状態でメインボード１０に固定されることによって、両カバー間にスピーカ５０が保持される。
【００５７】
スピーカ裏カバー５２の客側には、固定介在部材５３が嵌合されている。固定介在部材５３のフランジ部がスピーカ裏カバー５２のフランジ部を介してメインボード１０に螺合等によって固定されている。固定介在部材５３には、回転部材５５が係合している。すなわち、固定介在部材５３の客側における内周面５３ｂに、回転部材５５の客側の円柱状頭部５５ｂの外周面が摺動可能に嵌合されている。
【００５８】
固定介在部材５３には、嵌合穴５３ａが、回転部材５５の円周方向に複数（例えば、８個）、等間隔に形成されている。一方、回転部材５５のフランジ部には、嵌合穴５３ａに嵌合可能な突状係合部５５ａが、客側に一体に突設形成されている。突状係合部５５ａは、嵌合穴５３ａに対応する位置に嵌合穴５３ａと同数設けられるが、その数は嵌合穴５３ａより少なくてもよい。
【００５９】
回転部材５５の円柱状頭部５５ｂは、奏者側に開口する凹部を有し、該凹部内にスプリング５４が内装されている。スプリング５４は、スピーカ裏カバー５２の客側面に常に当接しており、回転部材５５を客側に常時付勢する。また、裏カバー５６が、客側から固定介在部材５３に被せられ、裏カバー５６のフランジ部が、固定介在部材５３のフランジ部に螺合等によって固定されている。回転部材５５の円柱状頭部５５ｂには、アーム２５Ｅの基端部２５Ｅａが複数のネジ５７で固定されている。従って、アーム２５Ｅは、回転部材５５と一体に回動する。第２回動機構部２２Ｆについても第２回動機構部２２Ｅと同様に構成され、アーム２５Ｆの基端部２５Ｆａが固定される。
【００６０】
第２回動機構部２２Ｅの組み付けは、次のようにしてなされる。まず、スピーカ取り付け穴１０ｃ内にスピーカ５０を配置し、スピーカ表カバー５１及びスピーカ裏カバー５２を取り付ける。一方、回転部材５５の上記凹部にスプリング５４を保持させると共に、回転部材５５と固定介在部材５３とを係合させた状態で、固定介在部材５３のフランジ部をスピーカ裏カバー５２のフランジ部に客側から当接させて螺合固定する。そのとき、スプリング５４の奏者側端部がスピーカ裏カバー５２に圧接する。
【００６１】
そして、裏カバー５６のフランジ部を固定介在部材５３のフランジ部に当接させて、上記圧接に抗して螺合固定する。さらに、回転部材５５の円柱状頭部５５ｂにアーム２５Ｅの基端部２５Ｅａをネジ５７で固定する。
【００６２】
かかる構成において、アーム２５Ｅを回動させるには、ユーザは、突状係合部５５ａが嵌合穴５３ａから抜ける程度まで、アーム２５Ｅの基端部２５Ｅａを奏者側に押圧する。そして、基端部２５Ｅａを押圧したままアーム２５Ｅを回動させ、所望の回動位置にて基端部２５Ｅａの押圧を解く。その時点では、突状係合部５５ａと嵌合穴５３ａとの位置は完全に一致していないのが通常であるので、ユーザは、基端部２５Ｅａを押圧することなくアーム２５Ｅをいずれかの方向に少しだけ回動させる。やがて、突状係合部５５ａが嵌合穴５３ａの位置に一致すると、嵌合穴５３ａに嵌入され、その回動位置にてアーム２５Ｅが固定状態となる。
【００６３】
図１３（ａ）〜（ｃ）は、ドラムボード２０Ａ、２０Ｂとメインボード１０との距離が展開状態と折り畳み状態との間でどのように変化するかを示す模式図である。同図（ａ）は平面視による展開状態、（ｂ）は側面視による展開状態、同図（ｃ）は側面視による折り畳み状態をそれぞれ示す作用図である。
【００６４】
例えば、ドラムボード２０Ａは、円盤状であり、その外縁を構成する点は無数ある。外縁上の位置である点の例示として、点Ｐ１、Ｐ２、Ｐ３を考える。展開状態における点Ｐ１、Ｐ２、Ｐ３からメインボード１０までの最短距離を、それぞれＬ１、Ｌ２、Ｌ３とする（同図（ａ）、（ｂ）参照）。一方、折り畳み状態では、点Ｐ１、Ｐ２、Ｐ３からメインボード１０までの最短距離は、それぞれＬ１ａ、Ｌ２ａ、Ｌ３ａとなる。ここで、Ｌ１＞Ｌ１ａ、Ｌ２＞Ｌ２ａ、Ｌ３＞Ｌ３ａが成立するようになっている。
【００６５】
このことは、点Ｐの位置をドラムボード２０の外縁上のどの位置にとっても成立するようになっている。従って、ドラムボード２０Ａ、２０Ｂについては、明らかに、ドラムボード２０の外縁上の位置とメインボード１０との最短距離の、ドラムボード２０の外縁上の全位置に関する総和は、折り畳み配置のときの方が、展開配置のときよりも小さい。これにより、折り畳み配置のときの方が、展開配置のときよりも、メインボード１０の厚み方向にコンパクトにすることができる（図４、図７も参照）。
【００６６】
また、このような、展開配置と折り畳み配置との間の、上記総和の大小関係は、ドラムボード２０Ｇについても成立する。なお、ドラムボード２０Ｃ〜２０Ｆについても、メインボード１０を上方まで仮想的に延長した場合において、上記総和の大小関係が成立するように構成してもよい。
【００６７】
なお、ドラムボード２０の外縁上の点のうち、一部の点については、展開配置と折り畳み配置との大小関係が上記とは逆になってもよい。従って、上記総和の大小関係が成立するように構成すれば、厚み方向にコンパクトにできるように構成することが容易となるという効果は得られる。また、上記総和の大小関係については、円形以外のドラムボードについても適用され、例えば、扇状等の外縁の点についても同様に考えることができる。
【００６８】
ところで、ユーザは、演奏時／収納時で、各ドラムボード２０を展開／折り畳み配置とするわけであるが、ドラムボード２０Ａ〜２０Ｇ及び操作パネル部１９については、互いの展開配置と折り畳み配置との間の変位行程が干渉しないように構成されている。従って、ユーザは、ドラムボード２０、操作パネル部１９を、如何なる順番でも支障なく展開／折り畳みすることができる。
【００６９】
演奏をする際には、メインボード１０を、その奏者側面１０ａが奏者に対面するように立設すると共に、ドラムボード２０等を展開配置とする。次に、メインボード１０を、立設するためのスタンド構造を説明する。
【００７０】
図１４は、メインボード１０の立設状態における打楽器装置の下半部を、その一部を断面で示す右側面である。図１５は、図１４のＤ−Ｄ線に沿う断面図である。図１４に示すメインボード１０の立設状態は、脚部６０の立設状態でもあるので、以降、単に「立設状態」と記すときは、メインボード１０、脚部６０の双方を対象としているものとする。図１６（ａ）は、脚部６０Ａの立設状態から折り畳み状態までの途中の状態を示す打楽器装置の下半部の側面図である。図１６（ｂ）は、脚部６０Ａの折り畳み状態を示す打楽器装置の下半部の側面図である。なお、図１４は図４と同じ状態、図１６（ｂ）は図７と同じ状態をそれぞれ示している。
【００７１】
このスタンド構造は、主として、脚部６０、リンクアーム７０、突設ステイ６７、一対の簡易保持部材７２及び金具６６を含んで構成される。このスタンド構造は、４箇所に構成されるが、いずれの構成も同様であるので、代表して、脚部６０Ａ及びそれに対応する構成要素について説明する。
【００７２】
図１４に示すように、脚部６０Ａは、金属等で長尺に構成され、立設状態においてはその下端部６０ａが接地される。厳密には、下端部６０ａに取り付けられた接地部材を介して接地される。脚部６０Ａの長手方向における中間部には、中間ステイ６１がメインボード１０側に突設されている。下端部６０ａと中間ステイ６１との中間付近には、左右方向に貫通した係合穴６２が穿設されている。脚部６０Ａの上端部６０ｂには、係合凹部６３及び鉤部６５が形成される。
【００７３】
図１７（ａ）は、後述する変形例であるが、金具６６、脚部６０Ａの係合凹部６３及び鉤部６５の構成は同じであるので、同図（ａ）を用いてこれらを説明する。係合凹部６３は、側面から見て上方に開口したコ字状を呈しており、立設状態において客側に対向する当接面６４と、水平な底面６３ａとを有する。また、底面６３ａの客側から上方に鉤部６５が突設形成される。
【００７４】
一方、金具６６は、メインボード１０に取り付けられている。金具６６には、係合部６６ａが設けられ、係合部６６ａより下の部分に、係合穴６６ｂが形成されている。係合穴６６ｂは、鉤部６５が挿抜可能な大きさに構成されている。係合穴６６ｂの下側面は、鉤部６５が挿抜しやすいように、斜面となっている。金具６６の係合部６６ａは、係合凹部６３に遊嵌され得る程度の厚みに構成される。
【００７５】
図１４、図１５に示すように、メインボード１０において、金具６６とフットペダル取付部１４との中間付近には、突設ステイ６７が固定的に突設されている。リンクアーム７０の基端部７０ａは、突設ステイ６７の先端部に、回動軸６８を介して連結され、リンクアーム７０は、回動軸６８を中心に、左右方向に直交する面に沿って回動自在となっている。リンクアーム７０の自由端部７０ｂは、脚部６０Ａの中間ステイ６１に、回動軸６９を介して連結されている。これにより、脚部６０Ａが、回動軸６９を中心に、左右方向に直交する面に沿って回動自在となっている。
【００７６】
また、一対の簡易保持部材７２は、突設ステイ６７の左右両側において先端部に固定され、両簡易保持部材７２の内側には、それぞれ突起部７３が対向して形成されている（図１５参照）。一方、突設ステイ６７には、突起部７３に対応する係合穴７１が形成されている。立設状態においては、両突起部７３が係合穴７１に嵌合され、リンクアーム７０がその回動位置で安定する。従って、脚部６０Ａも立設状態で安定する。一方、脚部６０Ａの折り畳み状態においては、両突起部７３が、脚部６０Ａの係合穴６２に嵌合されて、脚部６０Ａが折り畳み状態で安定する（図１６（ｂ）参照）。突起部７３と係合穴７１、６２との係合／係合解除は、ユーザの脚部６０Ａを動かす意図的な力によって可能なようになっている。
【００７７】
かかる構成において、脚部６０の立設／折り畳みは、次のようにしてなされる。まず、図１６（ｂ）に示す折り畳み状態において、脚部６０Ａの下端部６０ａを把持して、下端部６０ａがメインボード１０から離れる方向に下端部６０ａを引っ張る。すると、両簡易保持部材７２の突起部７３と脚部６０Ａの係合穴６２との係合が外れ、下端部６０ａをさらに引っ張ると、リンクアーム７０が図１６の時計方向に回動すると共に、脚部６０Ａがメインボード１０から離間及び／又は反時計方向に回動する。
【００７８】
そして、脚部６０Ａを操作して、リンクアーム７０を、一旦、脚部６０Ａの立設状態のときよりもさらに時計方向に少し回動した位置（図１６（ａ）参照）まで回動させる。すなわち、リンクアーム７０の係合穴７１が突起部７３に一旦係合し、さらに突起部７３を超えて突起部７３の下方に位置するまでリンクアーム７０を回動させる。この操作は、上端部６０ｂの鉤部６５を、高さ方向において、金具６６の係合穴６６ｂ（図１７参照）を通過できるように位置させるために行うものであり、脚部６０Ａの上端部６０ｂがメインボード１０に近接するまでの間または近接してから行う。
【００７９】
次に、この状態で、鉤部６５を係合穴６６ｂ内に挿入し、その後、脚部６０Ａ全体を上方に移動させるようにして、金具６６の係合部６６ａに係合凹部６３を係合させる。その際、リンクアーム７０は反時計方向に少し回動し、係合部６６ａに係合凹部６３が係合したときには突起部７３と係合穴７１とが嵌合される（図１４参照）。このような作業を、すべての脚部６０について行う。順番としては、いずれか一対の脚部６０（例えば、脚部６０Ａ及び脚部６０Ｃ）を先に立設するのが作業上やりやすい。
【００８０】
一対の脚部６０の立設がなされ、それらの下端部６０を接地させると、係合部６６ａの下端が係合凹部６３の底面６３ａに当接することで、メインボード１０の自重が底面６３ａにかかる。その力によって、脚部６０Ａは、その上端部６０ｂがメインボード１０に近づく方向に回動しようとするが、当接面６４が金具６６の対向面に当接して、脚部６０Ａの回動が規制される（図１４、図１７参照）。
【００８１】
すなわち、脚部６０Ａと脚部６０Ｃとは、メインボード１０の自重をそれぞれの底面６３ａで受ける一方で、それぞれの当接面６４が、対応する金具６６を圧接保持することになる。両側の当接面６４から受ける力は釣り合うので、メインボード１０が無理な曲げモーメント等の変形を誘引するような力を受けることがない。これにより、メインボード１０が鉛直方向に平行に安定して保持される。また、鉤部６５の上端が係合部６６ａの下端よりも上方にあるので、仮に、脚部６０Ａの上端部６０ｂが奏者側に引っ張られたとしても、鉤部６５が係合部６６ａに引っ掛かり、係合部６６ａと係合凹部６３との係合は容易には解けない。従って、鉤部６５は、簡易な係合維持機能を果たす。
【００８２】
装置を収納するために脚部６０Ａを折り畳む際には、立設時とは逆の行程を辿る。すなわち、下端部６０ａをやや床面から浮かせて、脚部６０Ａ全体を下方に移動させてから、係合部６６ａと係合凹部６３との係合を解いてから（図１６（ａ）参照）、鉤部６５を係合穴６６ｂから抜く。その後、脚部６０Ａを時計方向に回動させて、メインボード１０と平行となる位置まで移動させる（図１６（ｂ）参照）。突起部７３が、脚部６０Ａの係合穴６２に嵌合されて、脚部６０Ａの折り畳みが完了する。
【００８３】
ここで、本打楽器装置の折り畳み状態においては、図６に示すように、すべてのドラムボード２０Ａ〜２０Ｇ及び操作パネル部１９が、正面時において、メインボード１０の外縁１１の内側に収まる。しかも、すべての脚部６０についても、折り畳むことで外縁１１の内側に収まる。これらにより、収納時において、本打楽器装置全体を、メインボード１０の面方向（メインボード１０の奏者側面１０ａに平行な方向）にコンパクトにすることができる。
【００８４】
図１７（ａ）は、脚部６０Ａの上端部６０ｂと金具６６との係合部分の変形例を示す断面図である。同図（ｂ）は、同変形例を示す正面図である。上記のように、鉤部６５は、簡易な係合維持機能を果たすが、図１７に示す変形例では、係合部６６ａと係合凹部６３との係合をより確実に確保するロック機構を設ける。
【００８５】
まず、脚部６０Ａの上端部６０ｂの直ぐ右方において、金具６６の奏者側面に、ブロック７４を固着する。ブロック７４内には左右方向にスライド移動自在なピン７６が内装され、ピン７６は、摘み７５を持ってスライド操作可能に構成されている。一方、脚部６０Ａの上端部６０ｂには、ピン７６を挿抜可能な穴７７が左右方向に沿って穿設されている。
【００８６】
かかる構成において、係合部６６ａと係合凹部６３とが係合した状態で、摘み７５を持ってピン７６を左方にスライドさせ、ピン７６を穴７７に挿入する。これにより、係合部６６ａと係合凹部６３との係合状態でロックされる。従って、仮に、メインボード１０を持って上方に持ち上げたとしても、脚部６０Ａの上端部６０ｂが金具６６から離れてしまうことがない。これにより、メインボード１０を持って打楽器装置全体を移動させることが容易になる。
【００８７】
本実施の形態によれば、ドラムボード２０が、メインボード１０に対して展開／折り畳み自在にされたので、展開状態では演奏に適する一方、折り畳みにより、打楽器装置を容易にコンパクトに収納することができる。特に、ドラムボード２０は、折り畳み配置のときの方が、展開配置のときよりも、メインボード１０に対して近接し、しかも、メインボード１０に対して平行に近くなるので、装置の収納時において、メインボード１０の厚み方向にコンパクトにすることができる。
【００８８】
また、折り畳み配置のときには、ドラムボード２０Ｇは、メインボード１０に重なる定位置でドラムボード２０Ａに対して積層状態となり、且つ、展開配置のときよりも、ドラムボード２０Ｇがドラムボード２０Ａに近接し、しかも両ドラムボード２０Ａ、２０Ｇがメインボード１０に対しても平行に近接するので（図６〜図８参照）、ハイハットシンバルに相当するドラムボード２０Ｇを有した打楽器装置においても、装置をコンパクトに収納することができる。
【００８９】
また、ドラムボード２０Ｃ〜２０Ｆについては、回動首部２３Ｃ、２３Ｄ、２４Ｅ、２４Ｆを介して、対応するアーム２５の自由端部に角度可変に取り付けられたので（図２、図４、図７参照）、折り畳みの態様の自由度を高めることができる。これにより、各ドラムボード２０Ｃ〜２０Ｆの展開配置（演奏時）における角度調節を可能としつつも、折り畳み配置においてメインボード１０に対して平行にすることが可能となる。
【００９０】
また、ドラムボード２０Ｇは、アーム２５Ａに対して、連結アーム２５Ｇ１、第１回動機構部２１Ｇ１、アーム２５Ｇ２及び第１回動機構部２１Ｇ２からなるリンク機構を介して連結され、角度及び位置を可変に構成された（図１０参照）。これにより、ドラムボード２０Ａに対して近接、積層される状態と、ドラムボード２０Ａから離間して平行になる状態とにその配置状態を変化させることができる。よって、アーム２１Ｇ１乃至アーム２５Ｇ２をメインボード１０に直接連結する構成に比し、アーム２５Ｇ２が小型で済み、装置のコンパクト化に寄与する。しかも、ドラムボード２０Ａ、２０Ｇの積層時には、アーム２５Ｇ２がドラムボード２０Ａ、２０Ｇ間に挟まれてドラムボード２０Ａ、２０Ｇに対して積層状態となる（図８参照）。従って、アーム２５Ｇ２も嵩張らず、装置のコンパクト化に寄与する。
【００９１】
また、折り畳み状態においては、すべてのドラムボード２０、脚部６０、操作パネル部１９が、正面時において、メインボード１０の外縁１１の内側に収まるので、収納時において、本打楽器装置全体を、メインボード１０の面方向にコンパクトにすることができる。
【００９２】
また、ドラムボード２０Ａ〜２０Ｇ及び操作パネル部１９については、展開／折り畳みをするための変位行程が互いに干渉しないので、展開／折り畳みの順番を意識することなく、各ドラムボード２０等を独立して適切に変位させることができ、常に適切に展開／折り畳むことができる。
【００９３】
なお、メインボード１０に対してドラムボード２０を折り畳み可能にして、容易にコンパクトに収納するという観点からは、上記構成のように、ドラムボード２０がメインボード１０に対して平行に近接するのが最も望ましい。しかし、これに限られるものではなく、多くの機種においてコンパクト化を容易にする観点からは、ドラムボード２０の外縁上の位置とメインボード１０との最短距離の、ドラムボード２０の外縁上の全位置に関する総和を、折り畳み配置のときの方が、展開配置のときよりも小さくなるように構成すればよい（図１３参照）。
【００９４】
本実施の形態によればまた、メインボード１０には、バスドラムを想起させる枠部１３内において、奏者側面１０ａにバスドラムボード１２が固定的に配設され、スピーカ１７が、正面視において、枠部１３内であって、且つバスドラムボード１２を避けた位置に配置された（図３参照）。これにより、バスドラムボード１２の打撃からのスピーカ１７の保護を確保しつつ、スピーカ１７への外部配線を不要にして配線接続を簡素化することができる。また、バスドラムボード１２の近傍から発音がなされ、しかも、スピーカ１７の放音部が奏者側を向いているので、発音のリアリティが増す。さらに、ケース部１５内に基板１８が設けられたので、スピーカ１７と基板１８との配線を短くすることができる。
【００９５】
本実施の形態によればまた、ドラムボード２０Ｅ、２０Ｆがアーム２５Ｅ、２５Ｆを介して第２回動機構部２２Ｅ、２２Ｆに回動自在に配設され、且つ、第２回動機構部２２Ｅ、２２Ｆ内には、ドラムボード２０Ｅ、２０Ｆの打撃に起因する楽音を発生させるスピーカ５０がそれぞれ内蔵された（図１２参照）。これにより、ドラムボード２０Ｅ、２０Ｆの個々の打撃による楽音が、打撃位置の近傍における決まったスピーカ５０から発生するようにして、リアリティを増大させることができる。しかも、回動機構である第２回動機構部２２Ｅ、２２Ｆ内に楽音発生機構を収容したので、コンパクトである。
【００９６】
本実施の形態によればまた、脚部６０の係合部６６ａと金具６６の係合凹部６３とを係合させると共に、脚部６０の下端部６０ａを接地させることで、メインボード１０が立設状態になる一方、係合部６６ａと係合凹部６３との係合を解き、脚部６０をメインボード１０に平行に近接させることで、脚部６０及びリンクアーム７０が折り畳み状態となる（図１４〜図１６参照）。よって、簡単な操作で、薄型のメインボード１０を立設保持できると共に、装置の収納時には嵩張らないようにすることができる。
【００９７】
また、立設状態においては、突設ステイ６７に設けた突起部７３がリンクアーム７０の係合穴７１に嵌合され、一方、脚部６０Ａの折り畳み状態においては、突起部７３が、脚部６０Ａの係合穴６２に嵌合される（図１５、図１６（ｂ）参照）。これにより、メインボード１０の立設状態と、脚部６０Ａ及びリンクアーム７０の折り畳み状態とを、共にさらに安定なものにすることができる。なお、突起部７３と係合穴７１、６２に限られず、嵌合等の係合によってリンクアーム７０の回動に対して軽い規制力を付与できればよいので、構成はこれらに限られない。例えば、凹凸関係はこれとは逆に構成してもよい。
【００９８】
また、係合凹部６３は、その底面６３ａによって、メインボード１０の自重を受けると共に、その当接面６４によって脚部６０Ａの上端部６０ｂをメインボード１０側に圧接させるので、簡単な構成で、安定的なメインボード１０の保持が実現される。
【００９９】
また、脚部６０、リンクアーム７０、係合部６６ａ及び係合凹部６３は、メインボード１０の奏者側及び客側においてメインボード１０を挟んで対称に、離間して２対設けられたので、立設状態では、メインボード１０の下端縁が床面から完全に離間した浮動状態にすることが可能となる。
【０１００】
なお、メインボード１０を立設状態とする観点に限って言えば、脚部６０等は少なくとも一対設ければよい。例えば、左右方向の端部に、脚部６０等を一対だけ設け、その配置位置から遠いメインボード１０の下縁には接地用突部を設けて、接地用突部を直接接地させて、３点支持により立設するように構成してもよい。そのようにする場合は、立設状態にしたとき、メインボード１０の上縁が左右方向に平行となるように構成すればよい。この場合でも、メインボード１０の下縁のうち、少なくとも脚部６０等が配設されている部分については、メインボード１０の立設時に浮動状態にすることが可能となる。
【０１０１】
なお、本実施の形態において、メインボード１０にはバスドラムボード１２以外のドラムボードを固定的に備えてもよい。
【０１０２】
なお、メインボード１０に対してドラムボード２０を折り畳み可能にして、装置を容易にコンパクトに収納することに限って言えば、本装置は電子ドラムでなく、アコースティックな打楽器装置であってもよい。また、各ドラムボード２０が打撃センサを有しない練習用パッドであるような打楽器装置であってもよい。
【０１０３】
なお、メインボード１０の形状は、ドラムボード２０の安定保持の観点からは、上記実施の形態のように平板状が好ましいが、装置を容易にコンパクトに収納することに限って言えば、これに限られず、湾曲していてもよい。あるいは、メインボード１０は、網状であってもよい。
【０１０４】
なお、各ドラムボード２０、操作パネル部１９について、回動範囲を規制して、展開配置と折り畳み配置の位置を一定位置に定める機構を設けてもよい。そのような機構は、例えば、第１回動機構部２１、第２回動機構部２２に設けてもよいし、各ドラムボード２０等と当接する部材をメインボード１０等に固定して設けてもよい。これにより、だれがやっても常に同じ位置でドラムボード２０等が展開／折り畳みされ、同じ展開状態及び折り畳み状態を再現することが可能となる。
【０１０５】
なお、ドラムボード２０Ｇをドラムボード２０Ａに対して積層配置可能に構成する上では、ドラムボード２０Ａ、２０Ｇは、アーム２５Ａ、２５Ｇ１、２５Ｇ２以外のアーム部材を介して変位可能に構成してもよい。また、ドラムボード２０Ｇを変位させる構成は、アーム２５Ａに対して取り付けられたアーム部材（アーム２５Ｇ１、２５Ｇ２）を介して回動自在にされる構成に限られない。例えば、ドラムボード２０Ａと同様に、メインボード１０に対してアーム部材を介して回動自在に設け、なおかつ、折り畳み時にはドラムボード２０Ａに対して積層配置となるように構成してもよい。
【０１０６】
（第２の実施の形態）
上記第１の実施の形態では、スタンド構造を打楽器装置に適用した。しかし、これに限るものではなく、立設して用いる各種の装置等に本スタンド構造を適用可能である。本発明の第２の実施の形態では、演説用台に適用する例を説明する。
【０１０７】
図１８は、本発明の第２の実施の形態に係るスタンド構造が適用される演説用台の側面図である。図１９は、同演説用台を斜め下方からみた斜視図である。図１８、図１９は、いずれも、演説用台の展開状態を示している。図１８における右方が演説者側、左方が客側とする。
【０１０８】
まず、図１８、図１９に示すように、このスタンド構造は、主として、脚部８４、リンクアーム８５、突設ステイ８６、金具９９を有し、これらは、第１の実施の形態における脚部６０、リンクアーム７０、突設ステイ６７、金具６６とそれぞれ同様に構成される。また、図示はしないが、一対の簡易保持部材７２も第１の実施の形態と同様に設けられている。その他の構成は、第１の実施の形態のスタンド構造のものと同様であるので説明を省略する。
【０１０９】
ただし、本実施の形態では、脚部８４等は、主板８０の演説者側にのみ１つだけ設けられ、客側には設けられていない。従って、立設時には、図１８に示すように、主板８０の下端の両端部に設けた２つの接地部８１と脚部８４とで、主板８０が立設保持される。脚部８４の折り畳みの態様は、第１の実施の形態における脚部６０と同様であり、脚部８４は、主板８０に対して平行に近接する（図１９の２点鎖線）。
【０１１０】
一方、本実施の形態では、当該スタンド構造を、上板８３を水平に保持する機構にも採用している。まず、上板８３は、主板８０の上端部に蝶番８２で回動自在に取り付けられている。そして、主板８０の上半部の演説者側に、金具９９を設けると共に、脚部８４、リンクアーム８５、突設ステイ８６に相当する腕部８７、リンクアーム８８、突設ステイ８９も設ける。これらは、下側のスタンド構造に対して上下対称に構成及び配設される。
【０１１１】
また、図１９に示すように、上板８３の下面には、腕部８７の上端部が当接係合する凹溝８３ａが形成されている。さらに、凹溝８３ａの直ぐ側方には、ロック機構９０が設けられている。このロック機構９０は、図１７（ａ）、（ｂ）に示すものと同様であり、上板８３内において、左右方向にスライド移動自在なピンが内装され、該ピンを、摘み９１を持ってスライド操作可能に構成されている。なお、凹溝８３ａ、ロック機構９０のいずれも、それらを設けることは、必須ではない。
【０１１２】
かかる構成において、上板８３を水平に保持するためには、腕部８７の下端部の係合凹部（係合凹部６３、図１７（ａ）参照）を、金具９９の係合部（係合部６６ａ）に係合させると共に、腕部８７の上端部を凹溝８３ａに当接させ、ロック機構９０でロックする。一方、上板８３を折り畳む際には、腕部８７を脚部８４と同様に主板８０に対して平行に近接させる。その後、上板８３を主板８０の演説者側面に折り畳む。ここで、腕部８７の係合凹部と金具９９の係合部との係合を解くためには、上板８３を一旦、図１８の反時計方向に回動させる必要が生じるが、上板８３の客側端部下面と主板８０の上端部との間には、そのための間隙が設けてあるので（図１８参照）、支障がない。
【０１１３】
本実施の形態によれば、簡単な操作で、薄型の主板８０を立設保持できると共に、収納時には嵩張らないようにすることに関し、第１の実施の形態と同様の効果を奏することができる。
【０１１４】
また、同様のスタンド構造を上板８３の水平保持にも利用したので、簡単な操作で、上板８３を所定角度に保持できると共に、収納時には上板８３が嵩張らないようにすることができる。
【０１１５】
なお、第２の実施の形態において、脚部を表裏一側にのみ設けて主部を斜めに立設する構成は、第１の実施の形態における打楽器装置においても応用が可能である。すなわち、メインボード１０の奏者側面１０ａまたは客側面１０ｂいずれか一方にのみ脚部を少なくとも１つ設け、該脚部とメインボード１０の下縁とで接地して、メインボード１０を斜めに立設保持するように構成してもよい。
【０１１６】
なお、第１、第２の実施の形態において、係合凹部６３と係合部６６ａとは、上記した構成に限られず、少なくとも、メインボード１０の自重を受ける機能と、メインボード１０を押圧する機能とを有するように構成すればよい。例えば、下記のような変形例が考えられる。
【０１１７】
図２０（ａ）は、係合凹部６３と係合部６６ａの第１、第２の実施の形態に対する変形例を示す断面図、同図（ｂ）はその正面図である。
【０１１８】
第１の実施の形態を例示して説明すると、第１の実施の形態では、係合凹部６３の底面６３ａがメインボード１０の自重を受けると共に、当接面６４が金具６６乃至メインボード１０に当接する構成であった（図１７（ａ）参照）。これに対し、当該変形例では、係合部６６ａに代えて、メインボード１０から奏者側に係合突起９４が突設され、係合突起９４の先端が下方に垂下した垂下部９４ａとなっている。また、当接面６４に代えて、脚部６０に相当する脚部９２の上端部には、立設時にメインボード１０に対向当接する当接面９２ａが形成される。また、係合凹部６３に代えて、脚部９２の上端部において、正面視Ｕ字状のＵ状係合凹部９３が形成される。これらは、メインボード１０の客側においても構成され、互いに対をなす。
【０１１９】
かかる構成において、メインボード１０の客側、奏者側の双方において、Ｕ状係合凹部９３に係合突起９４を係合させる。すると、係合突起９４を介して、メインボード１０の自重をＵ状係合凹部９３が受ける。一方、当接面９２ａがメインボード１０を圧接する。このときの力学的な状態は、第１の実施の形態と同様である。しかも、垂下部９４ａが、鉤部６５と同様に、Ｕ状係合凹部９３から係合突起９４が抜けることを抑制する簡易な係合維持機能を果たす。
【０１２０】
なお、上板８３に限られず、所定角度で保持すべき回動部材であれば、上記構成を適用可能である。また、第１、第２の実施の形態のスタンド構造は、打楽器装置や演説台以外にも適用可能であり、例えば、診察室用の目隠し板や、薄板部材を立設させる必要があるような各種の調度品等にも適用可能である。特に、移動させたり収納したりすることが多いものには好適である。
【０１２１】
また、図２０（ｃ）に示すように、パネル型のディスプレイにも適用可能である。すなわち、ＬＣＤ等の薄型表示部９６を有する主部９５を、４本の脚部９７で立設保持するようなものにも適用することができる。この例では、スピーカ９８の位置を避けて脚部９７が配設される。このようなものにおいても、上述したように、脚部９７を一対だけ設け、３点支持で主部９５を立設状態としてもよい。
【０１２２】
なお、第１の実施の形態における打楽器装置、第２の実施の形態における演説用台においては、脚部６０、８４が接地されたが、これに限るものではない。例えば、上板８３（図１８、図１９参照）と同様の回動自在な板部材を下方に設け、該板部材の下面が接地されると共に、脚部６０、８４の下端部は、該板部材の上面または該板部材の上面に設けた凹溝に対して当接させる構成であってもよい。すなわち、上記第２の実施の形態における演説用台を天地逆にして上板８３を床面に接地させるような構成となる。
【図面の簡単な説明】
【０１２３】
【図１】本発明の第１の実施の形態に係るスタンド構造が適用される打楽器装置の斜視図である。
【図２】同打楽器装置の斜視図である。
【図３】本打楽器装置の展開状態における正面図（奏者側から見た図）である。
【図４】本打楽器装置の展開状態における左側面図である。
【図５】本打楽器装置の展開状態における平面図である。
【図６】本打楽器装置の折り畳み状態における正面図である。
【図７】本打楽器装置の折り畳み状態における左側面図である。
【図８】本打楽器装置の折り畳み状態における平面図である。
【図９】図５のＡ−Ａ線に沿う断面図である。
【図１０】ドラムボードを下方からみた部分下面図である。
【図１１】第１回動機構部の斜視図（図（ａ））、図６のＢ−Ｂ線に沿う第１回動機構部の断面図（図（ｂ））である。
【図１２】図３のＣ−Ｃに沿う第２回動機構部の断面図である。
【図１３】ドラムボードとメインボードとの距離が展開状態と折り畳み状態との間でどのように変化するかを示す展開状態の模式図（図（ａ）、（ｂ））、折り畳み状態の模式図（図（ｃ））である。
【図１４】メインボードの立設状態における打楽器装置の下半部を、その一部を断面で示す右側面である。
【図１５】図１４のＤ−Ｄ線に沿う断面図である。
【図１６】脚部の立設状態から折り畳み状態までの途中の状態を示す打楽器装置の下半部の側面図（図（ａ））、脚部の折り畳み状態を示す打楽器装置の下半部の側面図（図（ｂ））である。
【図１７】脚部の上端部と金具との係合部分の変形例を示す断面図（図（ａ））、及び正面図（図（ｂ））である。
【図１８】本発明の第２の実施の形態に係るスタンド構造が適用される演説用台の側面図である。
【図１９】同演説用台を斜め下方からみた斜視図である。
【図２０】係合凹部と係合部の第１、第２の実施の形態に対する変形例を示す断面図（図（ａ））、及び正面図（図（ｂ））である。
【符号の説明】
【０１２４】
１０  メインボード（主部）、  ６０、８４  脚部（脚部材）、  ６２  係合穴（折り畳み時嵌合対応部）、  ６３  係合凹部（係合部）、  ６３ａ  底面（第１当接部）、  ６４  当接面（第２当接部）、  ６６ａ  係合部（係合対応部）、  ７０、８５、８８  リンクアーム（補助部材）、  ７１  係合穴（立設時嵌合対応部）、  ７３  突起部（嵌合部）、  ８０  主板（主部、支持体）、  ８３  上板（回動部材）、  ８７  腕部（腕部材）
【図１】
0004742932.tif 000002
【図２】
0004742932.tif 000003
【図３】
0004742932.tif 000004
【図４】
0004742932.tif 000005
【図５】
0004742932.tif 000006
【図６】
0004742932.tif 000007
【図７】
0004742932.tif 000008
【図８】
0004742932.tif 000009
【図９】
0004742932.tif 000010
【図１０】
0004742932.tif 000011
【図１１】
0004742932.tif 000012
【図１２】
0004742932.tif 000013
【図１３】
0004742932.tif 000014
【図１４】
0004742932.tif 000015
【図１５】
0004742932.tif 000016
【図１６】
0004742932.tif 000017
【図１７】
0004742932.tif 000018
【図１８】
0004742932.tif 000019
【図１９】
0004742932.tif 000020
【図２０】
0004742932.tif 000021